(57)【特許請求の範囲】
【請求項１】
目地部を介して建てられた左右の建物の一方の建物の目地部側の躯体の壁面に沿って一端部がスライド移動できるように他端部を他方の建物の目地部側の躯体に固定あるいはヒンジ部材を介して回動可能に取付けられた前記左右の建物の壁面間の目地部を覆う目地カバーと、この目地カバーの背面に取付けられた少なくとも２個以上の水平方向のガイドレール、前記目地部側の一方の躯体と他方の躯体に両端部が枢支された、常時前記目地部の中央部に中央枢支部が位置する少なくとも２個以上の中央維持リンク機構、この少なくとも２個以上の中央維持リンク機構の中央枢支部に枢支された中央維持バーおよびこの中央維持バーに取付けられた前記ガイドレールとそれぞれ係合してスライド移動できる少なくとも２個以上の係合片とからなる目地カバー支持機構とを備えることを特徴とする壁面用目地装置。
【請求項２】
目地部を介して建てられた左右の建物の一方の建物の目地部側の躯体の壁面に沿って一端部がスライド移動できるように他端部を他方の建物の目地部側の躯体に固定、あるいはヒンジ部材を介して回動可能に取付けられた前記左右の建物の壁面間の目地部を覆う目地カバー本体、この目地カバー本体の一端部より出没可能に該目地カバー本体に取付けられた補助目地カバーとからなる目地カバーと、この目地カバーの背面に取付けられた少なくとも２個以上の水平方向のガイドレール、前記目地部側の一方の躯体と他方の躯体に両端部が枢支された、常時前記目地部の中央部に中央枢支部が位置する少なくとも２個以上の中央維持リンク機構、この少なくとも２個以上の中央維持リンク機構の中央枢支部に枢支された中央維持バー、この中央維持バーに取付けられた前記ガイドレールとそれぞれ係合してスライド移動できる少なくとも２個以上の係合片および前記目地部が地震等によって広くなった場合に、前記補助目地カバーを目地カバー本体より自動的に引き出す補助目地カバー引き出し機構とからなる目地カバー支持機構とを備えることを特徴とする壁面用目地装置。
【発明の詳細な説明】
【０００１】
【発明の属する技術分野】
本発明は目地部を介して建てられた左右の建物の壁面間の目地部を覆う壁面用目地装置に関する。
【０００２】
【従来の技術】
従来、この種の壁面用目地装置は、壁面間の目地部を覆う目地カバーの一端部を一方の建物の躯体に支持するとともに、他端部を他方の建物の壁面にスライド移動可能に沿うように付勢できる取付け金具を用いて取付けている。
【０００３】
【発明が解決しようとする課題】
従来の壁面用目地装置は目地カバーの他端部と他方の建物の壁面との重なりを大きく設定しなければ、地震等によって左右の建物が異なる左右方向に大きく揺れ動いた場合、目地カバーの他端部が目地部内へ入り込み、損傷させてしまうという欠点があるとともに、目地カバーを大きく設定すると取り扱いが重く、難しくなり、取付け金具の強度も増大させなければならず、コスト高になるという欠点があった。
【０００４】
本発明は以上のような従来の欠点に鑑み、目地カバーを大きくしなくても目地カバーが目地部内に入り込んで損傷するのを確実に防止することができるとともに、取り扱いや取付けが容易で、比較的安価に設置することができる壁面用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の一方の建物の目地部側の躯体の壁面に沿って一端部がスライド移動できるように他端部を他方の建物の目地部側の躯体に固定あるいはヒンジ部材を介して回動可能に取付けられた前記左右の建物の壁面間の目地部を覆う目地カバーと、この目地カバーの背面に取付けられた少なくとも２個以上の水平方向のガイドレール、前記目地部側の一方の躯体と他方の躯体に両端部が枢支された、常時前記目地部の中央部に中央枢支部が位置する少なくとも２個以上の中央維持リンク機構、この少なくとも２個以上の中央維持リンク機構の中央枢支部に枢支された中央維持バーおよびこの中央維持バーに取付けられた前記ガイドレールとそれぞれ係合してスライド移動できる少なくとも２個以上の係合片とからなる目地カバー支持機構とで壁面用目地装置を構成している。
【０００７】
【発明の実施の形態】
以下、図面に示す実施の形態より、本発明を詳細に説明する。
【０００８】
図１ないし図９に示す本発明の第１の実施の形態において、１は目地部２を介して建てられた左右の建物３、３の壁面３ａ、３ａ間を覆う本発明の壁面用目地装置で、この壁面用目地装置１は前記左右の建物３、３の一方の建物３の目地部側の躯体３ｂの壁面３ａに沿って一端部がスライド移動できるように他端部を他方の建物３の目地部側の躯体３ｂにヒンジ部材４を介して回動可能に取付けられた前記左右の建物３、３の壁面３ａ、３ａ間の目地部２を覆う目地カバー５と、この目地カバー５の背面に取付けられた少なくとも２個以上、本発明の実施の形態では上下中央部の３箇所に取付けられた水平方向のガイドレール６、６、６、前記目地部側の一方の躯体３ｂと他方の躯体３ｂに両端部がヒンジ部材７、７を介して枢支された、常時前記目地部２の中央部に中央枢支部８が位置する少なくとも２個以上、本発明の実施の形態では２個の中央維持リンク機構９、９、この２個の中央維持リンク機構９、９の中央枢支部８、８に中央枢支ピン１０、１０で枢支された中央維持バー１１および、この中央維持バー１１に取付けられた前記ガイドレール６、６、６とそれぞれ係合してスライド移動できる３個の係合片１２、１２、１２とからなる目地カバー支持機構１３とで構成されている。
【０００９】
前記ガイドレール６、６、６は図２および図５に示すように、目地カバー５の背面に開口するリップミゾ形鋼形状の金属材が使用されている。
【００１０】
前記中央維持リンク機構９、９は、四角枠が２個形成されるパンタグラフ形状に形成されたものが使用されている。
【００１１】
前記係合片１２、１２、１２は金属材でＴ字状に形成されたものが使用されている。
【００１２】
上記構成の壁面用目地装置１は、地震等によって左右の建物３、３が異なる左右方向に揺れ動き、目地部２が狭くなった場合には、図７に示すように目地カバー５の一端部が一方の建物３の壁面３ａに沿ってスライド移動するとともに、目地カバー支持機構１３の２個の中央維持リンク機構９、９が収縮するが、中央維持バー１１が目地部２の中央部に位置し、該中央維持バー１１に取付けられている係合片１２、１２、１２がガイドレール６、６、６に沿ってスライド移動して目地カバー５を支持して、その揺れ動きを吸収する。
【００１３】
目地部２が広くなった場合には、図８に示すように目地カバー５の他端部が他方の建物３の目地部側の躯体３ｂに、ヒンジ部材４を介して取付けられているため、他方の建物３と一体になって移動するとともに、目地カバー支持機構１３の２個の中央維持リンク機構９、９が伸長するが、中央維持バー１１が目地部２の中央部に位置し、該中央維持バー１１に取付けられている係合片１２、１２、１２がガイドレール６、６、６に沿ってスライド移動して、目地カバー５のほぼ中央部を支持して、その揺れ動きを吸収する。
【００１４】
左右の建物３、３が異なる前後方向に揺れ動いた場合には、図９に示すように目地カバー支持機構１３の２個の中央維持リンク機構９、９がヒンジ部材７、７を介して左右の建物３、３の躯体３ｂ、３ｂに取付けられているため、移動方向にスムーズに回動するとともに、目地カバー５もヒンジ部材４で他方の建物３の躯体３ｂに取付けられているため回動し、その揺れ動きを吸収する。
【００１５】
【発明の異なる実施の形態】
次に、図１０ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１０ないし図１２に示す本発明の第２の実施の形態において、前記本発明の第１の実施の形態と主に異なる点は、中央維持リンク機構９、９の中央枢支部８、８に中央維持バー１１に一端部が固定された中央枢支ピン１０Ａ、１０Ａを枢支させ、該中央枢支ピン１０Ａ、１０Ａに常時中央維持バー１１が中央維持リンク機構９、９側に付勢する付勢スプリング１４、１４を取付けるとともに、下部が傾斜面１５に形成された凹部１６、１６、１６の上部にガイドレール６Ａ、６Ａ、６Ａを設け、該ガイドレール６Ａ、６Ａ、６Ａと係合する係合溝１７、１７、１７が形成された係合片１２Ａ、１２Ａ、１２Ａを使用した目地カバー支持機構１３Ａを用いた点で、このような目地カバー支持機構１３Ａを用いて構成した壁面用目地装置１Ａにしても、前記本発明の第１の実施の形態と同様な作用効果が得られるとともに、大きな前後方向の揺れ動きも無理なく吸収することができる。
【００１７】
図１３ないし図１５に示す本発明の第３の実施の形態において、前記本発明の第２の実施の形態と主に異なる点は、アルミ、ステンレス等の金属材で形成した目地カバー本体１８と、この目地カバー本体１８の背面の外周部に固定された角パイプ材等で形成された補強枠１９と、この補強枠１９の両側バー部材１９ａ、１９ａ間を補強するように水平に固定された、角パイプ材等で形成された補強バー２０、２０、２０とからなる目地カバー５Ａと、この目地カバー５Ａの補強バー２０、２０、２０に固定されたアングル材製のガイドレール６Ｂ、６Ｂ、６Ｂとを用いた点で、このように構成した壁面用目地装置１Ｂにしても、前記本発明の第２の実施の形態と同様な作用効果が得られる。
【００１８】
図１６ないし図１８に示す本発明の第４の実施の形態において、前記本発明の第２の実施の形態と主に異なる点は、薄箱状に形成された目地カバー本体１８Ａと、この目地カバー本体１８Ａの一端部の開口部１８ａより出没可能に取付けられた補助目地カバー２１とからなる目地カバー５Ｂと、この目地カバー５Ｂの補助目地カバー２１の先端部に形成された係止片２２、この係止片２２と目地部２が広くなった場合に係合する、一方の建物３の躯体３ｂに固定された係合片２３と、前記補助目地カバー２１を常時収納方向に付勢する付勢スプリング２４とからなる補助目地カバー引き出し機構２５とを用いた点で、このように構成した壁面用目地装置１Ｃにしても、前記本発明の第２の実施の形態と同様な作用効果が得られるとともに、目地部が広くなっても目地カバー本体１８Ａと補助目地カバー２１とによって目地部２を確実に覆うことができる。
【００１９】
図１９および図２０に示す本発明の第５の実施の形態において、前記本発明の第１の実施の形態と主に異なる点は、目地カバー５の他端部を他方の建物３の躯体３ｂに固定した点で、このように構成した壁面用目地装置１Ｄにしてもよい。
【００２０】
図２１ないし図２３に示す本発明の第６の実施の形態において、前記本発明の第２の実施の形態と主に異なる点は、四角枠形状のリンク２６、このリンク２６の対向するバー部材２６ａ、２６ａのほぼ中央部に両端部が枢支ピン２７、２７で枢支された中央部に中央枢支部８が形成された中央バー２８とからなる中央維持リンク機構９Ａ、９Ａを使用した目地カバー支持機構１３Ｂを用いた点で、このような目地カバー支持機構１３Ｂを用いて構成した壁面用目地装置１Ｅにしても、前記本発明の第２の実施の形態と同様な作用効果が得られる。
【００２１】
【発明の効果】
以上の説明から明らかなように、本発明にあっては次に列挙する効果が得られる。
【００２２】
（１）目地部を介して建てられた左右の建物の一方の建物の目地部側の躯体の壁面に沿って一端部がスライド移動できるように他端部を他方の建物の目地部側の躯体に固定あるいはヒンジ部材を介して回動可能に取付けられた前記左右の建物の壁面間の目地部を覆う目地カバーと、この目地カバーの背面に取付けられた少なくとも２個以上の水平方向のガイドレール、前記目地部側の一方の躯体と他方の躯体に両端部が枢支された、常時前記目地部の中央部に中央枢支部が位置する少なくとも２個以上の中央維持リンク機構、この少なくとも２個以上の中央維持リンク機構の中央枢支部に枢支された中央維持バーおよびこの中央維持バーに取付けられた前記ガイドレールとそれぞれ係合してスライド移動できる少なくとも２個以上の係合片とからなる目地カバー支持機構とで構成されているので、目地プレートの背面に水平方向に設けられたガイドレールに目地部の中央部に常時位置する中央維持バーに取付けられた係合片を係合させることができる。
したがって、目地プレートを他端部と中央部寄りの部位とで支持でき、従来より強固に支持することができる。
【００２３】
（２）前記（１）によって、目地カバー支持機構によって、目地部が広くなっても、目地カバーが目地部内に入り込むのを確実に阻止することができる。
したがって、従来のように目地カバーが目地部内に入り込み、損傷するのを確実に防止することができる。
【００２４】
（３）前記（１）によって、免震ビル等のように大きな揺れ動きを設定した場所にでも目地カバーを大きくすることなく使用できる。
したがって、取り扱いが容易で、容易に設置することができるとともに、コストの低減を図ることができる。
【００２５】
（４）請求項２も前記（１）〜（３）と同様な作用効果が得られる。
【図面の簡単な説明】
【図１】本発明の第１の実施の形態の取付け状態の説明図。
【図２】図１の２−２線に沿う断面図。
【図３】本発明の第１の実施の形態の背面図。
【図４】図１の４−４線に沿う断面図。
【図５】本発明の第１の実施の形態の目地カバーの説明図。
【図６】本発明の第１の実施の形態の目地カバー支持機構の説明図。
【図７】本発明の第１の実施の形態の目地部が狭くなった動作説明図。
【図８】本発明の第１の実施の形態の目地部が広くなった動作説明図。
【図９】本発明の第１の実施の形態の異なる前後方向の動作説明図。
【図１０】本発明の第２の実施の形態の平面図。
【図１１】本発明の第２の実施の形態の背面図。
【図１２】図１１の１２−１２線に沿う拡大断面図。
【図１３】本発明の第３の実施の形態の平面図。
【図１４】本発明の第３の実施の形態の背面図。
【図１５】図１４の１５−１５線に沿う拡大断面図。
【図１６】本発明の第４の実施の形態の平面図。
【図１７】本発明の第４の実施の形態の一部破断正面図。
【図１８】本発明の第４の実施の形態の目地部が広くなった動作説明図。
【図１９】本発明の第５の実施の形態の平面図。
【図２０】本発明の第５の実施の形態の背面図。
【図２１】本発明の第６の実施の形態の平面図。
【図２２】本発明の第６の実施の形態の背面図。
【図２３】本発明の第６の実施の形態の目地カバー支持機構の説明図。
【符号の説明】
１、１Ａ、１Ｂ、１Ｃ、１Ｄ、１Ｅ：壁面用目地装置、
２：目地部、            ３：建物、
４：ヒンジ部材、        ５、５Ａ、５Ｂ：目地カバー、
６、６Ａ、６Ｂ：ガイドレール、
７：ヒンジ部材、        ８：中央枢支部、
９、９Ａ：中央維持リンク機構、
１０、１０Ａ：中央枢支ピン、
１１：中央維持バー、    １２、１２Ａ：係合片、
１３、１３Ａ、１３Ｂ：目地カバー支持機構、
１４：付勢スプリング、  １５：傾斜面、
１６：凹部、            １７：係合溝、
１８、１８Ａ：目地カバー本体、
１９：補強枠、          ２０：補強バー、
２１：補助目地カバー、  ２２：係止片、
２３：係合片、          ２４：付勢スプリング、
２５：補助目地カバー引き出し機構、
２６：リンク、          ２７：枢支ピン、
２８：中央バー。
【図１】
0003662173.tif 000002
【図２】
0003662173.tif 000003
【図３】
0003662173.tif 000004
【図４】
0003662173.tif 000005
【図５】
0003662173.tif 000006
【図６】
0003662173.tif 000007
【図７】
0003662173.tif 000008
【図８】
0003662173.tif 000009
【図９】
0003662173.tif 000010
【図１０】
0003662173.tif 000011
【図１１】
0003662173.tif 000012
【図１２】
0003662173.tif 000013
【図１３】
0003662173.tif 000014
【図１４】
0003662173.tif 000015
【図１５】
0003662173.tif 000016
【図１６】
0003662173.tif 000017
【図１７】
0003662173.tif 000018
【図１８】
0003662173.tif 000019
【図１９】
0003662173.tif 000020
【図２０】
0003662173.tif 000021
【図２１】
0003662173.tif 000022
【図２２】
0003662173.tif 000023
【図２３】
0003662173.tif 000024